(57)【要約】【課題】従来の組立収納棚等の家具の側板と棚板の組み立てにあつては、横方向と棚板の厚さ方向の荷重に対する強度が比較的弱く、安定性が悪かつた。【解決手段】縦部材と横部材で構成した組立家具において、縦部材に複数の挿通孔を穿設し、横部材の両側部に、取付孔を穿設した取付部とネジ部で形成した連結金具を取り付け、両縦部材に穿設した挿通孔と、両縦部材と両脚部材に穿設した挿通孔に、夫々、前記連結金具のネジ部を挿通し、ナツトで緊締し、縦部材と横部材、縦部材と横部材と脚部材を夫々、連結固定する。【選択図】図１
2007160031.tif 000002
【特許請求の範囲】
【請求項１】
縦部材と横部材と脚部材で構成した組立家具において、縦部材に複数の挿通孔を穿設し、横部材の両側部に、取付孔を穿設した取付部とネジ部で形成した連結金具を取り付け、両縦部材に穿設した挿通孔と、両縦部材と両脚部材に穿設した挿通孔に、夫々、前記連結金具のネジ部を挿通し、ナツトで緊締し、縦部材と横部材、縦部材と横部材と脚部材を夫々、連結固着した省スペース組立家具。
【請求項２】
両縦部材の挿通孔に丸棒を挿通して配設した請求項１記載の省スペース組立家具。
【請求項３】
挿通孔の穿設が上下方向に並列であることを特徴である請求項１、２記載の省スペース組立家具。
【請求項４】
内部を目視確認可能な複数の袋を設けた小物入れを吊設した請求項１、２記載の省スペース組立家具。
【請求項５】
縦部材と脚部材に取付金具を取り付け、その取付金具に載置板を取り付けた請求項１、２、４記載の省スペース組立家具。
【発明の詳細な説明】
【技術分野】
【０００１】  本発明は、限られたスペース、例えば食卓の上、学習机の上、収納棚、履物棚、本棚、洋服掛等に多くのものを置き、掛け、提げ収納整理可能なようにした省スペース組立家具に関する。
【背景技術】
【０００２】  従来の収納棚等の組立家具にあつては、例えば図９に示すような収納棚の場合は、その側板３０と棚板３１との連結は、拡大参考図Ｄに示すように側板３０の内面に棚板３１の端縁を合わせて、側板３０の通孔にビス３２を挿通して、棚板３１の端縁に設けた孔へ螺入させて緊締し、側板３０と棚板３１を固着していた。【０００３】  また、参考図１０と拡大参考図Ｅに示すように棚板３１の両側に取付孔を穿設した側部３３を設け、側板３０の通孔と取付孔にビスを挿通して、ナツトで緊締して側板３０と棚板３１を固着したものもある。
【発明の開示】
【発明が解決しようとする課題】
【０００４】  以上に述べた従来の収納棚等の組立家具にあつては、側板と棚板の連結には、棚板の端縁の小さな面積によつてのみ側板へ当接しているので、横方向への荷重に対する強度が比較的弱く、安定性の悪いものであつた。しかも、棚板の端縁にビスやナツトを介してボルトが螺入されるため、棚板へ厚さ方向の荷重が掛かつた場合に、その端縁が破損するという問題点があつた。【０００５】  さらに、前後方向が薄く上下方向が大なる組立家具の場合は、強度強化のため、裏板や筋交いを必ず設ける必要がありコスト性に問題点があつた。【０００６】  本発明は、このような従来の構成が有していた問題点を解決すると同時に、省スペースで多種多様な物品の収納整理を可能としたものである。我国は人口密度が高く、狭い土地に多くの人が生活をしている。そのため小型の家具や組立折畳家具等、各種の省スペース空間有効利用家具が開発されている。本発明は、食卓上整理棚、学習机上整理棚、履物棚、忘れ物防止整理棚、本棚、洋服掛等に利用すべく、簡単、省スペース構造にしても、横方向への荷重に対する強度が強く、且棚板へ厚さ方向への荷重にも強く、また裏板や筋交いを設けなくても強度に影響がなく、低コストで製造でき、且省スペースでより多く、多様なものを収納整理できる省スペース組立家具を提供することを目的とするものである。
【課題を解決するための手段】
【０００７】  そして、本発明は上記目的を達成するために、縦部材と横部材と脚部材で構成した組立家具において、縦部材に複数の挿通孔を穿設し、横部材の両側部に、取付孔を穿設した取付部とネジ部で形成した連結金具を取り付け、両縦部材に穿設した挿通孔と、両縦部材と両脚部材に穿設した挿通孔に、夫々、前記連結金具のネジ部を挿通し、ナツトで緊締し、縦部材と横部材、縦部材と横部材と脚部材を夫々、連結固定したものである。連結金具は木ネジで取り付けるか、横部材に穿設した取付孔にビスとナツトで取り付けるとよい。【０００８】  前記縦部材は単式に形成したものであるが、複式に形成したものでもよい。また横部材は板状を形成したものであるが、引き出し等を具備した箱状のものとしてもよい。【０００９】  また、両縦部材の挿通孔に丸棒を挿通して、左右方向に配設したものである。丸棒は袋、籠等を吊り下げて省スペースで多くの物品を収納可能としたもので、縦部材に挿通孔を適宜穿設し丸棒を適宜配設するとよい。【００１０】  また、挿通孔の穿設が上下方向に並列としたものである。挿通孔は適宜の間隔、且両列を水平に穿設してもよいが、一方の配列の挿通孔を、他の配列の挿通孔より高め又は低めに穿設するとよい。【００１１】  また、丸棒は左右及び前後方向に配設可能としたものである。そして内部を目視確認可能な複数の袋を設けた小物入れを丸棒に吊設したものである。袋はネツト状としたものであるが、透明なビニールや透明なプラスチツクとしてもよい。【００１２】  また、縦部材と脚部材に取付金具を取り付け、その取付金具に本等を載置する載置板を取り付けたものである。載置板は縦部材と脚部材に木ネジで固定することができるが、ビスと蝶ナツトで着脱自在としたものである。【００１３】  本発明に係わる省スペース組立家具は次のように使用する。すなわち、横部材に設けた連結金具のネジ部を縦部材の挿通孔に挿通し、ナツトを取り付けスパナで緊締する。スパナで緊締するので、緊締度を強めることが可能であり、縦部材の内面と横部材の端縁が強く密着緊締して、横方向と前後方向の緩みは発生することはない。また横方向と前後方向と横部材の厚さ方向の強度は、連結金具をビスとナツトで取り付け、縦部材と横部材をナツトで締め付け取り付けているので強化されている。【００１４】  縦部材の挿通孔に丸棒を挿通したものは、丸棒に多種多様な物品を吊り下げて、省スペースで整理収納効率を向上させることができるようにしたもので、主に食卓上で使用し、日常的に使用する箸立てや調味料等を収納し、食卓を広く活用することができる。更に丸棒を並列に配設することにより、履物棚として使用できる。また丸棒を縦部材から突出させて傘掛け等に使用できる。【００１５】  また、丸棒に内部を目視確認可能な複数の袋を設けた小物入れを吊設したものは、多種多様な物品の整理収納効率向上と同時に、ネツトや透明なシートで製造し、袋内のものが判明できるようにして、日常使用品の置き忘れ防止効果がある。【００１６】  縦部材と脚部材に載置板を取り付けたものは、主として学習机上で使用する。教科書や参考書や辞典を載置板に載置し、また丸棒に図表、年表、地図、各種資料をクリツプで吊り下げ、机という狭いス���ースでの整理収納効率向上を図ることができるようにしたものである。  また複数の横部材を配設し、横部材に本を載置して本棚として使用できる。更に上部の横部材と中間部に配設した丸棒に洋服等を掛け、洋服掛けとして使用することができる。
【発明の効果】
【００１７】  上述したように本発明の省スペース組立家具は横方向への荷重の強度を強化し安定性を向上することができた。【００１８】  また、横部材の厚さ方向の荷重が掛かつても、端縁が破損することはない。【００１９】  また、構造を簡単にすることができるので低コストで製造できる。【００２０】  また、省スペースで多種多様なものを収納整理でき、且置き忘れ防止という想定外の効果を得ることができる。
【発明を実施するための最良の形態】
【００２１】  以下、本発明の実施の形態を図１〜図８に基づいて説明する。【００２２】  図１は、実施例１のものの構造を示す斜視図である。図２は、連結金具で横部材と縦部材を連結固着した状態を示す図１矢視Ａ拡大部分断面図である。１は四角形板状の横部材を示している。横部材１の両側部に連結金具２を取り付ける取付孔３を穿設している。連結金具２は取付孔４を穿設した四角形状の取付部５とネジ部６で形成している。７は縦部材で幅狭板状二枚で形成し、横部材の両側に配設し、連結金具２のネジ部６とナツト１０で横部材と回動自在に連結している。縦部材７の下部は略四角形板状の脚部８にビス９とナツト１０で取り付け、更に脚部８と横部材１にネジ部６とナツト１０で連結固着している。縦部材７の上部と中間部に挿通孔１１を穿設し、夫々、断面円形形状の丸棒１２を挿通し配設している。実施例１のものは、食卓上に置いて使用するもので、食事の際必ず使用する、箸や調味料等横部材１上に置く、また丸棒１２に籠や袋を吊り下げノリやふりかけ等を入れる。省スペースで食卓を広く利用することができる。【００２３】  図３は、実施例２のものの構造を示す斜視図である。
両縦部材７の上下方向に並列且適宜の間隔で取付孔３を穿設している。一方の配列の取付孔３は、他方の配列の取付孔３より高め、または低めに穿設している。左右対称する取付孔３に丸棒１２を挿通し配設している。また上方の丸棒１２一本は縦部材７から突出させて配設している。拡大参考図Ｂに示すように、二本の丸棒１２の上に履物を載置する。また突出した丸棒１２に傘を掛ける。【００２４】  図４は、実施例３のものの構造を示す斜視図である。１３は、小物入れである。小物入れ１３はネツト又は透明なシートで複数の袋１４に区切られ、丸棒１２に吊設している。更に一方の縦部材７に穿設した挿通孔１１に丸棒１２を挿通している。また他方の縦部材７の前後方向に穿設した挿通孔１１に丸棒１２を挿通し、小物入れ１３を吊設している。実施例３のものは、横部材１の上や下段の横部材１の下部に物品を載置収納し、また縦部材７の外側に突出配設した丸棒１２に籠等の入れ物を吊設する。また丸棒１２に吊設した小物入れ１３に多数の物品を収納できるが、高齢になり物忘れが常態化するなかで、目視確認可能な小物入れ１３に収納することで忘れ物防止の効果がある。更に丸棒１２を吊設することにより、小物入れ１３を壁や家具に取り付けた場合による汚れや傷の不安がない。【００２５】  図５、６は、実施例４のものの構造を示す正面図と側面図である。１６は本１７等を載置する載置板である。載置板１６は縦断面Ｌ形状を形成し、前側下部に透明なページ押え１８を設けている。脚部８の前側部と上部の縦部材７に取付孔４を穿設した取付金具１９を設けている。そして載置板１６を取付金具１９にビス９と蝶ナツト２０で取り付けている。脚部８に設ける取付金具１９は載置板１６が後方に傾斜するように取り付け、縦部材７に設ける取付金具１９は載置板１６が垂直になるように取り付ける。実施例４のものを使用する場合は、上段の横部材１を緊締しているナツト１０を緩め、縦部材７を後方に傾斜すると同時に上段の載置板１６も後方に傾斜するので本等を載置することができる。実施例４のものは、学習時、机上に置いて使用するもので、載置板１６に教科書や参考書や辞典等を載置する。また横部材１上に本類や文房具等を置く。丸棒１２に地図表や年表や資料類をクリツプで止めて使用する。机上という狭いスペースを有効に使用することができる。【００２６】  図７は実施例５のもの構造を示す斜視図である。下部の横部材１と脚部材８と縦部材７を連結金具２で連結固定している。また上部の横部材１と縦部材７も連結金具２で連結固定している。上下の横部材１以外の横部材１は、両縦部材７と取付金具１９で連結固定している。実施例５のものは、簡単省スペース構造にしても強度が安定した本棚として使用することができる。【００２７】  図８は、実施例６のものの構造を示す斜視図である。上下を連結金具２とナツト１０で緊締するので横方向、前後方向、上下方向の強度は安定するので洋服掛けとして使用することができる。
【図面の簡単な説明】
【００２８】
【図１】  実施例１のものの構造を示す斜視図
【図２】  連結金具で横部材と縦部材を連結固定した状態を示す図１矢視Ａ拡大部分断面図
【図３】  実施例２のものの構造を示す斜視図
【図４】  実施例３のものの構造を示す正面図
【図５】  実施例３のものの構造を示す側面図
【図６】  実施例４のものの構造を示す斜視図
【図７】  実施例５のものの構造を示す斜視図
【図８】  実施例６のものの構造を示す斜視図
【図９】  従来の家具体の構成状態を示す説明図
【図１０】  従来の家具体の構成状態を示す説明図
【符号の説明】
【００２９】  １  横部材                  １３  小物入れ
２  連結金具                １４  袋
５  取付部                  １６  載置板
６  ネジ部                  １７  本
７  縦部材                  １９  取付金具
８  脚部材                  ２０  履物
１０  ナツト                  ２１  傘
１１  挿通孔
１２  丸棒
【図１】
2007160031.tif 000003
【図２】
2007160031.tif 000004
【図３】
2007160031.tif 000005
【図４】
2007160031.tif 000006
【図５】
2007160031.tif 000007
【図６】
2007160031.tif 000008
【図７】
2007160031.tif 000009
【図８】
2007160031.tif 000010
【図９】
2007160031.tif 000011
【図１０】
2007160031.tif 000012